(57)【要約】 【課題】同一の遊技機から連続して払い出された複数の遊技媒体容器の遊技媒体に対して不正を行う場合でも、正確に不正の有無を判断することができるようにした遊技管理システムを提供する。【解決手段】遊技情報受信装置３０が取得した遊技情報と、遊技情報発信装置１０から送信された遊技情報とを照合し、前記遊技情報受信装置３０が取得した遊技機ＩＤ、遊技時間情報、計数した遊技媒体数と、前記遊技情報発信装置１０から送信された遊技機ＩＤ、遊技時間情報、当該遊技時間での獲得遊技媒体数との各対応付けが正当であるか否かを判定する。【選択図】図１
2005177038.tif 000002
【特許請求の範囲】
【請求項１】
所定の遊技状態が実現された場合に所定の数量の遊技媒体を賞として払い出す複数の遊技機を設置した遊技場に適用される遊技管理システムであって、
前記複数の遊技機ごとに設けられ、対応する遊技機の識別子（以下、遊技機ＩＤと称す）、および遊技時間情報を含む遊技情報を示す信号を電磁波に乗せて発信するとともに、当該遊技時間での獲得遊技媒体数を含む遊技情報を送信する遊技情報発信装置と、
前記複数の遊技機の各々から賞として払い出された遊技媒体を収納するための複数の容器（以下、遊技媒体容器と称す）ごとに設けられ、対応する遊技媒体容器が使用された遊技機に対応して設けられた遊技情報発信装置から発信された電磁波を受信し、受信した電磁波に乗っている信号が示す遊技情報を取得するとともに、前記遊技機ＩＤおよび、遊技時間を遊技情報に付加して記憶保持し、該遊技媒体容器の記憶保持している遊技情報を示す信号を電磁波に乗せて発信する複数の遊技情報記憶装置と、
数量を計数すべき遊技媒体を収納している遊技媒体容器に対応して設けられた遊技情報記憶装置から発信された電磁波を受信し、受信した電磁波に乗っている信号が示す遊技情報を取得する遊技情報受信装置とを備え、
前記遊技情報受信装置が取得した遊技情報と、前記遊技情報発信装置から送信された遊技情報とを照合し、前記遊技情報受信装置が取得した遊技機ＩＤ、遊技時間情報、計数した遊技媒体数と、前記遊技情報発信装置から送信された遊技機ＩＤ、遊技時間情報、当該遊技時間での獲得遊技媒体数との各対応付けが正当であるか否かを判定することを特徴とする遊技管理システム。
【請求項２】
所定の遊技状態が実現された場合に所定の数量の遊技媒体を賞として払い出す複数の遊技機を設置した遊技場に適用される遊技管理システムであって、
前記複数の遊技機ごとに設けられ、対応する遊技機の識別子（以下、遊技機ＩＤと称す）、および遊技時間情報を含む遊技情報を示す信号を電磁波に乗せて発信するとともに、当該遊技時間での獲得遊技媒体数を含む遊技情報を送信する遊技情報発信装置と、
前記複数の遊技機の各々から賞として払い出された遊技媒体を収納するための複数の容器（以下、遊技媒体容器と称す）ごとに設けられ、対応する遊技媒体容器が使用された遊技機に対応して設けられた遊技情報発信装置から発信された電磁波を受信し、受信した電磁波に乗っている信号が示す遊技情報を取得するとともに、前記遊技機ＩＤおよび、遊技時間を遊技情報に付加して記憶保持すると共に、記憶保持している遊技情報を示す信号を電磁波に乗せて発信する複数の遊技情報記憶装置と、
前記遊技媒体容器に収納されている遊技媒体の数量を計数する遊技媒体計数機に設けられ、数量を計数すべき遊技媒体を収納している遊技媒体容器に対応して設けられた遊技情報記憶装置から発信された電磁波を受信し、受信した電磁波に乗っている信号が示す遊技情報を取得する遊技情報受信装置と、
当該遊技情報受信装置が取得した遊技情報と、前記遊技情報発信装置から送信された遊技情報とを照合し、前記遊技情報受信装置が取得した遊技機ＩＤ、遊技時間情報、前記計数された遊技媒体数と、前記遊技情報発信装置から送信された遊技機ＩＤ、遊技時間情報、当該遊技時間での獲得遊技媒体数との各対応付けが正当であるか否かを判定する正当性判定装置とを備えたことを特徴とする遊技管理システム。
【請求項３】
請求項２記載の遊技管理システムにおいて、前記遊技機ＩＤが示す遊技機に対応して設けられた遊技情報発信装置から送信された遊技情報に含まれている遊技媒体の数量と、前記遊技媒体計数機の計数結果とを比較し、両者の差が所定の範囲内であることを、対応付けが正当であるとの判定の要素とすることを特徴とする遊技管理システム。
【請求項４】
請求項２記載の遊技管理システムにおいて、対応付けが正当であると判定された場合に、前記遊技情報受信装置が取得した遊技情報に含まれている遊技媒体の数量と、遊技媒体計数機の計数結果とを報知し、対応付けが正当でないと判定された場合に、前記遊技情報受信装置が取得した遊技情報に含まれている遊技媒体の数量と、遊技媒体計数機の計数結果と、所定の記号とを報知するか、あるいは警報を行うことを特徴とする遊技管理システム。
【請求項５】
請求項１または２記載の遊技管理システムにおいて、前記遊技機ＩＤごとに、該遊技機ＩＤが示す遊技機から賞として払い出される遊技媒体の単価を記憶して、前記遊技情報受信装置が取得した遊技情報に含まれている遊技機ＩＤに対応する単価を求め、求めた単価を報知することを特徴とする遊技管理システム。
【請求項６】
請求項１または２記載の遊技管理システムにおいて、前記複数の遊技情報記憶装置は、各々、対応する遊技媒体容器の底部に設けられることを特徴とする遊技管理システム。
【請求項７】
請求項１または２記載の遊技管理システムにおいて、前記遊技情報受信装置は、前記遊技媒体計数機中の、数量を計数すべき遊技媒体を収納している遊技媒体容器が置かれる部位に設けられることを特徴とする遊技管理システム。
【請求項８】
請求項１または２記載の遊技管理システムにおいて、前記複数の遊技情報発信装置は、各々、前記複数の遊技機からなる遊技機島を並設するための天板中の、対応する遊技機で使用される遊技媒体容器が置かれる部位に設けられることを特徴とする遊技管理システム。
【請求項９】
請求項１から３及び５記載の遊技管理システムにおいて、前記遊技機ＩＤを、遊技媒体を貸し出す遊技媒体貸出機の識別子にしたことを特徴とする遊技管理システム。
【請求項１０】
請求項１から３及び５記載の遊技管理システムにおいて、前記遊技機ＩＤを、１つ以上の遊技機からなる遊技機島の識別子にしたことを特徴とする遊技管理システム。
【発明の詳細な説明】
【技術分野】
【０００１】
本発明は、所定の遊技状態が実現された場合に所定の数量の遊技媒体を賞として払い出す複数の遊技機を設置した遊技場に適用される遊技管理システムに関する。
【背景技術】
【０００２】
従来の遊技管理システムとしては、例えば特許文献１に示すようなものがある。  
すなわち、特許文献１の特開２００１−１９０７３８号公報には、遊技媒体容器にＩＤタグを設け、このＩＤタグに台番号を記憶させ、この記憶された台番号および計数された遊技媒体の個数と、遊技機からの台番号および遊技媒体数情報とを照合して、不正の有無を判断するようにした技術が開示されている。
【０００３】
【特許文献１】特開２００１−１９０７３８号公報
【発明の開示】
【発明が解決しようとする課題】
【０００４】
しかしながら、このような従来の技術では、遊技媒体の単価を異ならせた遊技機、複数の遊技機からなる遊技機島、あるいは遊技媒体貸出機などに分けて遊技場を構成することが行われていないのでそのような遊技場に対応することができない。また特許文献１では、遊技機のＩＤによる獲得遊技媒体数と計数時の遊技媒体容器中の遊技媒体数との関係においてのみ不正の有無を判断している。このため、仮に遊技中に大当たりが連続発生して、複数の遊技媒体容器が積まれた場合、各遊技媒体容器の遊技媒体が同じ遊技機から払い出されたものとなり、各遊技媒体容器の遊技媒体数と遊技機などからの遊技媒体数情報とを対応付ける情報がないので両者を照合させることができないという問題がある。
【０００５】
本発明は、このような従来の技術が有する問題点に着目してなされたもので、同一の遊技機から連続して払い出された複数の遊技媒体容器の遊技媒体に対して不正を行う場合でも、正確に不正の有無を判断することができるようにした遊技管理システムを提供することを目的としている。
【課題を解決するための手段】
【０００６】
かかる目的を達成するための本発明の要旨とするところは、次の各項の発明に存する。
［１］  所定の遊技状態が実現された場合に所定の数量の遊技媒体を賞として払い出す複数の遊技機（１０００）を設置した遊技場に適用される遊技管理システムであって、
前記複数の遊技機（１０００）ごとに設けられ、対応する遊技機（１０００）の識別子（以下、遊技機ＩＤと称す）、および遊技時間情報を含む遊技情報を示す信号を電磁波に乗せて発信するとともに、当該遊技時間での獲得遊技媒体数を含む遊技情報を送信する遊技情報発信装置（１０）と、
前記複数の遊技機（１０００）の各々から賞として払い出された遊技媒体を収納するための複数の容器（以下、遊技媒体容器（２００）と称す）ごとに設けられ、対応する遊技媒体容器（２００）が使用された遊技機（１０００）に対応して設けられた遊技情報発信装置（１０）から発信された電磁波を受信し、受信した電磁波に乗っている信号が示す遊技情報を取得するとともに、前記遊技機ＩＤおよび、遊技時間を遊技情報に付加して記憶保持し、該遊技媒体容器（２００）の記憶保持している遊技情報を示す信号を電磁波に乗せて発信する複数の遊技情報記憶装置（２０）と、
数量を計数すべき遊技媒体を収納している遊技媒体容器（２００）に対応して設けられた遊技情報記憶装置（２０）から発信された電磁波を受信し、受信した電磁波に乗っている信号が示す遊技情報を取得する遊技情報受信装置（３０）とを備え、
前記遊技情報受信装置（３０）が取得した遊技情報と、前記遊技情報発信装置（１０）から送信された遊技情報とを照合し、前記遊技情報受信装置（３０）が取得した遊技機ＩＤ、遊技時間情報、計数した遊技媒体数と、前記遊技情報発信装置（１０）から送信された遊技機ＩＤ、遊技時間情報、当該遊技時間での獲得遊技媒体数との各対応付けが正当であるか否かを判定することを特徴とする遊技管理システム。
【０００７】
［２］  所定の遊技状態が実現された場合に所定の数量の遊技媒体を賞として払い出す複数の遊技機（１０００）を設置した遊技場に適用される遊技管理システムであって、
前記複数の遊技機（１０００）ごとに設けられ、対応する遊技機（１０００）の識別子（以下、遊技機ＩＤと称す）、および遊技時間情報を含む遊技情報を示す信号を電磁波に乗せて発信するとともに、当該遊技時間での獲得遊技媒体数を含む遊技情報を送信する遊技情報発信装置（１０）と、
前記複数の遊技機（１０００）の各々から賞として払い出された遊技媒体を収納するための複数の容器（以下、遊技媒体容器（２００）と称す）ごとに設けられ、対応する遊技媒体容器（２００）が使用された遊技機（１０００）に対応して設けられた遊技情報発信装置（１０）から発信された電磁波を受信し、受信した電磁波に乗っている信号が示す遊技情報を取得するとともに、前記遊技機ＩＤおよび、遊技時間を遊技情報に付加して記憶保持すると共に、記憶保持している遊技情報を示す信号を電磁波に乗せて発信する複数の遊技情報記憶装置（２０）と、
前記遊技媒体容器（２００）に収納されている遊技媒体の数量を計数する遊技媒体計数機（３）に設けられ、数量を計数すべき遊技媒体を収納している遊技媒体容器（２００）に対応して設けられた遊技情報記憶装置（２０）から発信された電磁波を受信し、受信した電磁波に乗っている信号が示す遊技情報を取得する遊技情報受信装置（３０）と、
当該遊技情報受信装置（３０）が取得した遊技情報と、前記遊技情報発信装置（１０）から送信された遊技情報とを照合し、前記遊技情報受信装置（３０）が取得した遊技機ＩＤ、遊技時間情報、前記計数された遊技媒体数と、前記遊技情報発信装置（１０）から送信された遊技機ＩＤ、遊技時間情報、当該遊技時間での獲得遊技媒体数との各対応付けが正当であるか否かを判定する正当性判定装置（４０）とを備えたことを特徴とする遊技管理システム。
【０００８】
［３］  項２記載の遊技管理システムにおいて、前記遊技機ＩＤが示す遊技機（１０００）に対応して設けられた遊技情報発信装置（１０）から送信された遊技情報に含まれている遊技媒体の数量と、前記遊技媒体計数機（３）の計数結果とを比較し、両者の差が所定の範囲内であることを、対応付けが正当であるとの判定の要素とすることを特徴とする遊技管理システム。
【０００９】
［４］  項２記載の遊技管理システムにおいて、対応付けが正当であると判定された場合に、前記遊技情報受信装置（３０）が取得した遊技情報に含まれている遊技媒体の数量と、遊技媒体計数機（３）の計数結果とを報知し、対応付けが正当でないと判定された場合に、前記遊技情報受信装置（３０）が取得した遊技情報に含まれている遊技媒体の数量と、遊技媒体計数機（３）の計数結果と、所定の記号とを報知するか、あるいは警報を行うことを特徴とする遊技管理システム。
【００１０】
［５］  項１または２記載の遊技管理システムにおいて、前記遊技機ＩＤごとに、該遊技機ＩＤが示す遊技機（１０００）から賞として払い出される遊技媒体の単価を記憶して、前記遊技情報受信装置（３０）が取得した遊技情報に含まれている遊技機ＩＤに対応する単価を求め、求めた単価を報知することを特徴とする遊技管理システム。
【００１１】
［６］  項１または２記載の遊技管理システムにおいて、前記複数の遊技情報記憶装置（２０）は、各々、対応する遊技媒体容器（２００）の底部に設けられることを特徴とする遊技管理システム。
【００１２】
［７］  項１または２記載の遊技管理システムにおいて、前記遊技情報受信装置（３０）は、前記遊技媒体計数機（３）中の、数量を計数すべき遊技媒体を収納している遊技媒体容器（２００）が置かれる部位に設けられることを特徴とする遊技管理システム。
【００１３】
［８］  項１または２記載の遊技管理システムにおいて、前記複数の遊技情報発信装置（１０）は、各々、前記複数の遊技機（１０００）からなる遊技機島（１）を並設するための天板中の、対応する遊技機（１０００）で使用される遊技媒体容器（２００）が置かれる部位に設けられることを特徴とする遊技管理システム。
【００１４】
［９］  項１から３及び５記載の遊技管理システムにおいて、前記遊技機ＩＤを、遊技媒体を貸し出す遊技媒体貸出機（２）の識別子にしたことを特徴とする遊技管理システム。
【００１５】
［１０］  項１から３及び５記載の遊技管理システムにおいて、前記遊技機ＩＤを、１つ以上の遊技機（１０００）からなる遊技機島（１）の識別子にしたことを特徴とする遊技管理システム。
【００１６】
前記本発明は次のように作用する。  
まず、本発明に係る遊技管理システムでは、遊技機（１０００）ごとに設けられた遊技情報発信装置（１０）が、対応する遊技機（１０００）の識別子である遊技機ＩＤと、遊技時間情報を含む遊技情報を示す信号を電磁波に乗せて発信するとともに、当該遊技時間での獲得遊技媒体数を含む遊技情報を送信する。
【００１７】
また、遊技媒体容器（２００）の遊技情報記憶装置（２０）により、遊技媒体容器（２００）が使用された遊技機（１０００）に対応して設けられた遊技情報発信装置（１０）から発信された電磁波を受信し、受信した電磁波に乗っている信号が示す遊技情報を取得するとともに、遊技機ＩＤ、および、遊技時間を遊技情報に付加して記憶保持し、該遊技媒体容器（２００）の記憶保持している遊技情報を示す信号を電磁波に乗せて発信する。
【００１８】
そして、遊技情報受信装置（３０）は、前記遊技情報記憶装置（２０）から発信された電磁波を受信し、受信した電磁波に乗っている信号が示す遊技情報を取得する。
【００１９】
これにより、前記遊技情報受信装置（３０）が取得した遊技情報と、遊技情報発信装置（１０）から送信された遊技情報とが照合され、前記遊技情報受信装置（３０）が取得した遊技機ＩＤ、遊技時間情報、計数した遊技媒体数と、前記遊技情報発信装置（１０）から送信された遊技機ＩＤ、遊技時間情報、当該遊技時間での獲得遊技媒体数との各対応付けが正当であるか否かが判定される。
【００２０】
また、本発明では、前記遊技機ＩＤが示す遊技機（１０００）に対応して設けられた遊技情報発信装置（１０）から送信された遊技情報に含まれている遊技媒体の数量と、遊技媒体計数機（３）の計数結果とを比較し、両者の差が所定の範囲内であることで、対応付けが正当であると判定し、所定の範囲を超えた場合は不正と判定する。
【００２１】
また、本発明では、対応付けが正当であると判定された場合には、遊技情報受信装置（３０）が取得した遊技情報に含まれている遊技媒体の数量と、遊技媒体計数機（３）の計数結果とを報知し、対応付けが正当でないと判定された場合には、前記遊技情報受信装置（３０）が取得した遊技情報に含まれている遊技媒体の数量と、遊技媒体計数機（３）の計数結果と、所定の記号とを報知するか、あるいは警報を行う。
【００２２】
また、本発明では、遊技機ＩＤごとに、該遊技機ＩＤが示す遊技機（１０００）から賞として払い出される遊技媒体の単価を記憶していて、遊技情報受信装置（３０）が取得した遊技情報に含まれている遊技機ＩＤに対応する単価を求め、求めた単価を報知する。
【００２３】
また、本発明では、複数の遊技情報記憶装置（２０）は、各々、対応する遊技媒体容器（２００）の底部に設けられている。
【００２４】
前記遊技情報受信装置（３０）は、遊技媒体計数機（３）中の、数量を計数すべき遊技媒体を収納している遊技媒体容器（２００）が置かれる部位に設けられている。
【発明の効果】
【００２５】
本発明にかかる遊技管理システムによれば、遊技情報受信装置が取得した遊技情報と、遊技情報発信装置から送信された遊技情報とを照合し、遊技情報受信装置が取得した遊技機ＩＤ、遊技時間情報、前記計数された遊技媒体数と、遊技情報発信装置から送信された遊技機ＩＤ、遊技時間情報、当該遊技時間での獲得遊技媒体数との各対応付けが正当であるか否かを判定するようにしたので、同一の遊技機から連続して払い出された複数の遊技媒体容器の遊技媒体に対して不正が行われる場合でも、正確に不正の有無を判断することができる。
【発明を実施するための最良の形態】
【００２６】
以下、図面に基づき本発明の好適な各種の実施の形態を説明する。  
図１〜図８は本発明の第１の実施の形態を示している。  
本実施の形態に係る遊技管理システムが適用される遊技場のレイアウトは、図１１に示されるようなものである。すなわち、遊技場においては、一般に、図１１に示すように、複数の遊技機１０００が天板上に並設された遊技機島１が、多数設置されたレイアウトとなっている。さらに、遊技場においては、遊技者が遊技対象とする遊技機１０００に遊技媒体を貸し出すための複数の遊技媒体貸出機２と、遊技者が遊技終了時に所持している遊技媒体の数量を計数するための複数の遊技媒体計数機３とが設置されている。
【００２７】
なお、本実施形態では遊技機としてパチンコ遊技機、遊技媒体としてパチンコ玉を想定しているが、本発明ではこれらに限らず遊技機として例えばスロットマシン、遊技媒体としてメダルなどにも適用することができる。
【００２８】
最近は、プリペイドカードの普及に伴って、図１１に示すように、１つの遊技機１０００に対して１つの遊技媒体貸出機２が設置されるようにした遊技場が増加しているが、例えば、隣合った２つの遊技機１０００ごとに、これらの遊技機１０００に挟まれる位置に、１つの遊技媒体貸出機２が設置されるようにするなど、１つ以上の遊技機１０００からなる遊技機島１に対して１つの遊技媒体計数機３が設置されるようにした遊技場もある。
【００２９】
１つ以上の遊技機１０００からなる遊技機島１に対して１つの遊技媒体貸出機２が設置されるようになっている場合でも、遊技媒体貸出機２が遊技媒体を貸し出す遊技機１０００は、その位置関係から自ずと決まっている。
【００３０】
なお、図１１では示していないが、景品交換カウンターには、遊技媒体計数機３が発行した記録媒体を読み取るための読取装置が設置されており、また、例えば、景品交換カウンター内や遊技場の事務所等の、遊技者に見えない場所に、正当性判定装置４０が設置されている。
【００３１】
図１は、遊技管理システムの概念図である。図１においては、遊技機１０００、遊技媒体貸出機２、遊技媒体計数機３、遊技情報発信装置１０、遊技情報記憶装置２０、遊技情報受信装置３０、正当性判定装置４０が配設されている。
【００３２】
遊技情報発信装置１０は、複数の遊技機１０００ごとに設けられ、対応する遊技機１０００の識別子（遊技機ＩＤ）、あるいは該遊技機１０００が属する遊技機島１に対応する遊技媒体貸出機２の識別子（貸出機ＩＤ）、あるいは遊技機島１の識別子（遊技機島ＩＤ）と遊技時間情報を含む遊技情報を示す信号を電磁波に乗せて発信するものである。また、遊技情報発信装置１０は、これらの遊技情報に加えて遊技媒体数情報を、正当性判定装置４０に送信するものである。
【００３３】
遊技媒体容器２００は遊技機１０００から賞として払い出された遊技媒体を収納する容器である。
【００３４】
遊技情報記憶装置２０は、遊技媒体容器２００ごとに設けられ、対応する遊技媒体容器２００が使用された遊技機１０００に対応して設けられた遊技情報発信装置１０から発信された電磁波を受信し、受信した電磁波に乗っている信号が示す遊技情報を取得するとともに、遊技機ＩＤ、あるいは貸出機ＩＤ、あるいは遊技機島ＩＤおよび、遊技時間を遊技情報に付加して記憶保持し、記憶保持している遊技情報を示す信号を電磁波に乗せて発信するものである。
【００３５】
つまり、図７（ａ）に示すように遊技媒体容器２００が遊技機ＩＤ「１０１」に対応する遊技機１０００の前の天板５０上に載置されたときに、天板５０の遊技情報発信装置１０から遊技媒体容器２００の遊技情報記憶装置２０へ遊技機ＩＤ「１０１」と遊技時間「１１：３０−１３：４５」の各遊技情報が送信される。そして、遊技者が遊技媒体容器２００を天板５０から持ち上げると、図７（ｂ）に示すように遊技媒体容器２００の遊技情報記憶装置２０のアドレス「０１」に遊技機ＩＤ「１０１」と遊技時間「１１：３０−１３：４５」の各遊技情報が書き込まれる。
【００３６】
さらに、遊技中に大当たりが連続発生して、次の遊技媒体容器２００が遊技機ＩＤ「１０１」に対応する遊技機１０００の前の天板５０上に載置されたときに、天板５０の遊技情報発信装置１０から遊技媒体容器２００の遊技情報記憶装置２０へ遊技機ＩＤ「１０１」と遊技時間「１３：５８−１４：０３」の各遊技情報が送信される。そして、遊技者が遊技媒体容器２００を天板５０から持ち上げると、図７（ｂ）に示すように遊技媒体容器２００の遊技情報記憶装置２０のアドレス「０２」に遊技機ＩＤ「１０１」と遊技時間「１３：５８−１４：０３」の各遊技情報が書き込まれる。
【００３７】
遊技媒体計数機３は、遊技媒体容器２００に収納されている遊技媒体の数量を計数し、計数結果が印刷されたレシート、あるいは計数結果が記録されたカード等の記録媒体を発行するとともに、遊技情報受信装置３０を備えている。
【００３８】
遊技媒体計数機３によって発行された記録媒体には、後述する正当性判定装置４０によって判定された遊技情報受信装置３０が取得した遊技情報に含まれている遊技媒体の数量と、遊技媒体計数機３の計数結果の判定結果が記録される。
【００３９】
遊技情報受信装置３０は、数量を計数すべき遊技媒体を収納している遊技媒体容器２００に対応して設けられた遊技情報記憶装置２０から発信された電磁波を受信し、受信した電磁波に乗っている信号が示す前記のような遊技機ＩＤや遊技時間情報を含む遊技情報を取得する。
【００４０】
正当性判定装置４０は、複数の遊技情報発信装置１０の各々、および遊技媒体計数機３に接続されており、設定部４１を備えている。
【００４１】
正当性判定装置４０には、各遊技機１０００に対応する遊技情報発信装置１０から、遊技機ＩＤ、遊技時間、獲得遊技媒体数情報が各々送信される。
【００４２】
これにより正当性判定装置４０の設定部４１では、図８に示すようにアドレス「０１」に、遊技機ＩＤ「１０１」、遊技時間「１１：３０−１３：４５」、獲得遊技媒体数情報「２０１２個」の各遊技情報が設定されるとともに、アドレス「０２」に、遊技機ＩＤ「１０１」、遊技時間「１３：５８−１４：０３」、獲得遊技媒体数情報「５９８個」の各遊技情報が設定される。
【００４３】
これにより正当性判定装置４０では、遊技情報受信装置３０が取得した遊技情報と、遊技情報発信装置１０から送信された遊技情報とを照合し、遊技情報受信装置３０が取得した遊技機ＩＤ、遊技時間情報、前記計数された遊技媒体数と、遊技情報発信装置１０から送信された遊技機ＩＤ、遊技時間情報、当該時間での獲得遊技媒体数との各対応付けが正当であるか否かを判定することが可能となる。
【００４４】
なお、正当性判定装置４０が判定結果を遊技媒体計数機３に送信すると、遊技媒体計数機３はその判定結果が正当でない旨を示している場合に警報を発する、あるいは表示するなど、その旨を外部に報知するようにしてもよい。
【００４５】
また、正当性判定装置４０が、遊技機ＩＤごとに、該遊技機ＩＤが示す遊技機１０００から賞として払い出される遊技媒体の単価を記憶するようにし、遊技媒体計数機３から送信された遊技情報に含まれている遊技機ＩＤ（すなわち、遊技媒体計数機３が数量を計数した遊技媒体を払い出した遊技機１０００の遊技機ＩＤ）に対応する単価を求め、求めた単価を遊技媒体計数機３に送信するようにすれば、遊技媒体計数機３は、正当性判定装置４０から送信された単価を、発行する記録媒体にさらに記録するようにすることができる。正当性判定装置４０が記憶している単価に、任意の金額を設定する単価設定装置を備えるようにすれば、遊技場側は、交換時の遊技媒体の単価を、極め細かい金額に設定することができるようになる。なお、遊技機ＩＤの代わりに貸出機ＩＤ、遊技機島ＩＤを用いてもよい。
【００４６】
また、遊技媒体計数機３が、遊技機ＩＤごとに、該遊技機ＩＤが示す遊技機１０００から賞として払い出される遊技媒体の単価を記憶するようにし、遊技情報受信装置３０が取得した遊技情報に含まれている遊技機ＩＤ（すなわち、数量を計数した遊技媒体を払い出した遊技機１０００の遊技機ＩＤ）に対応する単価を求め、求めた単価を、発行する記録媒体にさらに記録するようにすることができる。遊技媒体計数機３が記憶している単価に、任意の金額を設定する単価設定装置を備えるようにすれば、遊技場側は、交換時の遊技媒体の単価を、極め細かい金額に設定することができるようになる。なお、遊技機ＩＤの代わりに貸出機ＩＤ、遊技機島ＩＤを用いてもよい。
【００４７】
図２は遊技情報発信装置１０，遊技情報記憶装置２０，遊技情報受信装置３０の構成例を示すブロック図である。図２に示すように、遊技情報発信装置１０は、遊技情報を記憶保持しているメモリ１１と、メモリ１１が記憶保持している遊技情報をアナログ信号にＤ／Ａ変換し、Ｄ／Ａ変換したアナログ信号を電磁波に変調して送信する送信器１２と、メモリ１１が記憶保持している遊技情報を遊技媒体計数機３に送信する送信回路１３とを有した構成となっている。
【００４８】
遊技情報記憶装置２０は、遊技情報発信装置１０の送信器１２から送信された電磁波を受信してアナログ信号に復調し、復調したアナログ信号をＤ／Ａ変換して遊技情報を取得する受信器２１と、受信器２１が取得した遊技情報を記憶保持するメモリ２２と、メモリ２２が記憶保持している遊技情報をアナログ信号にＤ／Ａ変換し、Ｄ／Ａ変換したアナログ信号を電磁波に変調して送信する送信器２３とを有した構成とすることができる。
【００４９】
遊技情報受信装置３０は、遊技情報記憶装置２０の送信器２３から送信された電磁波を受信してアナログ信号に復調し、復調したアナログ信号をＡ／Ｄ変換して遊技情報を取得する受信器３１と、受信器３１が取得した遊技情報を遊技媒体計数機３に出力する出力回路３２とを有した構成とすることができる。
【００５０】
図３に示すように、遊技情報発信装置１０および遊技情報受信装置３０が、各々、遊技情報記憶装置２０の電源を投入するための電源投入用の電磁波を発信する発信回路１４，３３をさらに有した構成とし、遊技情報記憶装置２０が、遊技情報発信装置１０の発信回路１４および遊技情報受信装置３０の発信回路３３から発信された電磁波を受信し、受信した電磁波を電力に変換することで、動作電源を作る電源回路２４をさらに有した構成とすることができる。このようにすると、遊技情報記憶装置２０の消費電力を抑えることが可能となる。このとき、電源回路２４は、変換した電力を蓄積するバッテリーを持っているようにし、メモリ２２は、ＥＥＰＲＯＭ等の不揮発性メモリであるようにすることが好ましい。
【００５１】
遊技情報発信装置１０および遊技情報受信装置３０の電源は、商用のＡＣ電源から供給されているものである。また、遊技情報発信装置１０および遊技情報記憶装置２０は、遊技情報を示す信号を電磁波に乗せる代わりに、光に乗せるようにしてもよい。
【００５２】
遊技情報発信装置１０のメモリ１１に所望の遊技情報を記憶保持させるためには、遊技情報を設定する遊技情報設定装置を備えるようにすればよい。遊技情報設定装置は、外部から入力された遊技情報を取得し、取得した遊技情報に含まれている遊技機ＩＤが示す遊技機１０００に対応する遊技情報発信装置１０に、取得した遊技情報を送信するようにすれば、遊技情報発信装置１０は、遊技情報設定装置から送信された遊技情報を、メモリ１１に記憶保持することが可能となる。
【００５３】
図４は、遊技媒体容器２００の断面図である。なお、本実施形態では、遊技媒体容器２００としてパチンコ玉を収納する玉箱を想定している。同図４に示すように、遊技情報記憶装置２０は、遊技媒体容器２００の底部に設けられている。また図５に示すように、遊技情報発信装置１０が、複数の遊技機１０００からなる遊技機島１を並設するための天板中の、対応する遊技機１０００で使用される遊技媒体容器２００が置かれる部位に設けられ、図６に示すように、遊技情報受信装置３０が、遊技媒体計数機３中の、数量を計数すべき遊技媒体を収納している遊技媒体容器２００が置かれる部位に設けられるようにすることができる。
【００５４】
このようにすると、遊技情報発信装置１０と遊技情報記憶装置２０との距離、および、遊技情報記憶装置２０および遊技情報受信装置３０の距離が近くなるので、遊技情報発信装置１０が発信する電磁波の到達範囲、および、遊技情報記憶装置２０が発信する電磁波の到達範囲を狭くすることが可能となり、遊技情報発信装置１０，遊技情報記憶装置２０，遊技情報受信装置３０の装置構成および消費電力を抑えることが可能となる。
【００５５】
図５においては、遊技機１０００がパチンコ遊技機であるように描かれている。これにより、玉箱が使用されるパチンコ遊技機に対応して設けられた遊技情報発信装置１０が電磁波に乗せて発信した信号が示す遊技情報を、玉箱に設けられた遊技情報記憶装置２０に記憶保持することができる。
【００５６】
ここで遊技者は、遊技開始時に、遊技媒体を借り受けるために、遊技媒体貸出機２に現金またはプリペイドカードを投入して所望の金額を指定するので、遊技媒体貸出機２は、指定された金額を所定の金額（例えば４円）で割ることで、貸し出すべき遊技媒体の数量を求めるようになっている。
【００５７】
遊技者は、遊技終了時に、手元に残った遊技媒体（実際には、遊技機１０００が所定の遊技状態となった結果、遊技機１０００から賞として払い出された遊技媒体である。）の数量を計数するために、該遊技媒体を収納した遊技媒体容器２００を、遊技媒体計数機３の所定の部位に設置するようになっている。
【００５８】
また、遊技媒体計数機３は、遊技者が遊技媒体容器２００を所定の部位に設置して、該遊技媒体容器２００に収納されている遊技媒体の数量を計数し、この後、遊技媒体容器２００が持ち上げられると、遊技機ＩＤ、遊技時間などの遊技情報を消去するようにしている。
【００５９】
上述したいずれの実施形態においても、遊技媒体貸出機２は、対応する遊技機島１に属する遊技機１０００に貸し出す遊技媒体の単価を記憶するようにすることができる。このようにした場合、遊技媒体貸出機２は、遊技者が現金またはプリペイドカードを投入して所望の金額を指定すると、指定された金額を、記憶している単価で割ることで、貸し出すべき遊技媒体の数量を求め、求めた数量の遊技媒体を貸し出すようになる。そこで、遊技媒体貸出機２が記憶している単価に、任意の金額を設定する単価設定装置を備えるようにすれば、遊技場側は、貸出時の遊技媒体の単価を、極め細かい金額に設定することができるようになる。
【００６０】
また遊技者は、遊技媒体計数機３の計数結果である遊技媒体の数量に応じた景品を取得するために、遊技媒体計数機３が発行した記録媒体を景品交換カウンターに持参するようになっており、景品交換カウンターには、遊技者が持参した記録媒体の記録内容を読み取って出力する読取装置が設置されているので、景品交換カウンターでは、遊技場の担当者が、読取装置が出力した記録内容のうちの、遊技媒体計数機３の計数結果である遊技媒体の数量を確認し、遊技者は、該遊技媒体の数量に応じた景品を取得することができる。このとき、読取装置が出力した記録内容の中に、所定の記号が記録されている場合には、遊技場の担当者は、遊技者から事情を聞くなどの対処を行うことができる。なお、正当性判定装置４０は、パーソナルコンピュータ等の情報処理装置によって実現することができる。
【００６１】
次に第１の実施の形態の動作について説明する。  
遊技情報発信装置１０は、発信回路１４によって、遊技情報記憶装置２０の電源を投入するための電源投入用の電磁波を発信しているので、遊技情報発信装置１０に対応する遊技機１０００から払い出された遊技媒体を収納するために、遊技媒体容器２００が図５に示す天板上に置かれると、該遊技媒体容器２００に設けられた遊技情報記憶装置２０は、電源回路２４によって、遊技情報発信装置１０の発信回路１４から発信された電源投入用の電磁波を受信し、受信した電磁波を電力に変換することで、動作電源を作るので、その動作を開始する。
【００６２】
また、遊技情報発信装置１０は、送信器１２によって、メモリ１１が記憶保持している遊技情報をアナログ信号にＤ／Ａ変換し、Ｄ／Ａ変換したアナログ信号を電磁波に変調して送信するので、遊技情報記憶装置２０は、動作を開始すると、受信器２１によって遊技情報発信装置１０の送信器１２から送信された電磁波を受信し、アナログ信号に復調し、復調したアナログ信号をＡ／Ｄ変換して遊技情報を取得し、メモリ２２によって、受信器２１が取得した遊技情報を記憶保持する。さらに、遊技情報発信装置１０は、送信回路１３によって、送信器１２が電磁波として送信した遊技情報と同じ遊技情報を、正当性判定装置４０に送信する。
【００６３】
遊技情報受信装置３０は、発信回路３３によって、遊技情報記憶装置２０の電源を投入するための電源投入用の電磁波を所定の範囲内に発信している。このため、遊技媒体容器２００に収納されている遊技媒体の数量を計数するために、遊技媒体容器２００が図６に示す部位に置かれると、該遊技媒体容器２００に設けられた遊技情報記憶装置２０は、電源回路２４によって、遊技情報発信装置１０の発信回路１４から発信された電源投入用の電磁波を受信し、受信した電磁波を電力に変換することで、動作電源を作るので、その動作を開始する。
【００６４】
遊技情報記憶装置２０は、動作を開始すると、送信器２３によって、メモリ２２が記憶保持している遊技情報をアナログ信号にＤ／Ａ変換し、Ｄ／Ａ変換したアナログ信号を電磁波に変調して送信する。このため、遊技情報受信装置３０は、受信器３１によって、遊技情報記憶装置２０の送信器２３から送信された電磁波を受信してアナログ信号に復調し、復調したアナログ信号をＡ／Ｄ変換して遊技情報を取得し、出力回路３２によって、受信器３１が取得した遊技情報を遊技媒体計数機３に出力する。
【００６５】
遊技媒体計数機３は、遊技媒体容器２００に収納されている遊技媒体の数量を計数し、計数結果を印刷したレシートまたは計数結果を記録したカード等の記録媒体を発行するものであるが、本実施例においては、遊技媒体計数機３は、さらに、記録媒体を発行する前に、遊技情報受信装置３０が取得した遊技情報を正当性判定装置４０に送信する。
【００６６】
そして正当性判定装置４０は、遊技情報受信装置３０が取得した遊技情報と、遊技情報発信装置１０から送信された遊技情報とを照合する。
【００６７】
より詳細には、図７（ｂ）に示す遊技情報受信装置３０が取得した遊技機ＩＤ「１０１」と図８に示す遊技情報発信装置１０から送信された遊技機ＩＤ「１０１」とを照合し、図７（ｂ）に示す遊技情報受信装置３０が取得した遊技時間情報「１１：３０−１３：４５」と図８に示す遊技情報発信装置１０から送信された遊技時間情報「１１：３０−１３：４５」とを照合し、遊技媒体計数機３によって計数された遊技媒体数例えば２０１２個と図８に示す遊技情報発信装置１０から送信された獲得遊技媒体数情報「２０１２個」とを照合する。
【００６８】
このように照合することにより、正当性判定装置４０は、遊技情報受信装置３０が取得した遊技機ＩＤ、遊技時間情報、遊技媒体計数機３によって計数された遊技媒体数と、遊技情報発信装置１０から送信された遊技機ＩＤ、遊技時間情報、当該遊技時間での獲得遊技媒体数との各対応付けが正当であるか否かの判定を行う。そして、遊技機ＩＤが示す遊技機１０００に対応して設けられた遊技情報発信装置１０から送信された遊技情報に含まれている遊技媒体の数量と、遊技媒体計数機３の計数結果とを比較し、両者の差が所定の範囲内であり対応付けが正当である旨の判定結果か、あるいは両者の差が所定の範囲外となり対応付けが正当でない旨の判定結果を、遊技媒体計数機３に返送する。
【００６９】
これを受けた遊技媒体計数機３は、正当性判定装置４０から返送された判定結果が正当である旨を示している場合には、遊技情報受信装置３０が取得した遊技情報と、自身の計数結果とを記録した記録媒体を発行し、正当性判定装置４０から返送された判定結果が正当でない旨を示している場合には、遊技情報受信装置３０が取得した遊技情報と、自身の計数結果と、所定の記号とを記録した記録媒体を発行するようになっている。
【００７０】
なお、遊技媒体計数機３は、さらに、遊技機ＩＤごとに、該遊技機ＩＤが示す遊技機１０００から賞として払い出される遊技媒体の単価を記憶するようにし、遊技情報受信装置３０が取得した遊技情報に含まれている遊技機ＩＤ（すなわち、数量を計数した遊技媒体を払い出した遊技機１０００の遊技機ＩＤ）に対応する単価を求め、求めた単価を、発行する記録媒体にさらに記録する。
【００７１】
正当性判定装置４０の判定結果は、遊技媒体計数機３に返送され、遊技媒体計数機３が発行する記録媒体に記録されるので、遊技媒体計数機３が発行した記録媒体の記録内容を読み取って出力する読取装置が設置されている景品交換カウンターでは、遊技場の担当者が、読取装置が出力した記録内容の中に所定の記号が存在する場合には、該記録媒体を持参した遊技者から事情を聞くなどの対処を行うことができ、遊技者の不正を防止することが可能となる。
【００７２】
以上のように本実施形態によれば、遊技情報受信装置３０が取得した遊技情報と、遊技情報発信装置１０から送信された遊技情報とを照合し、遊技情報受信装置３０が取得した遊技機ＩＤ「１０１」、遊技時間情報「１１：３０−１３：４５」、遊技媒体計数機３によって計数された遊技媒体数２０１２個と、遊技情報発信装置１０から送信された遊技機ＩＤ「１０１」、遊技時間情報「１１：３０−１３：４５」、当該遊技時間「１１：３０−１３：４５」での獲得遊技媒体数２０１２個との各対応付けが正当であるか否かを判定するようにしたので、同一の遊技機１０００から連続して払い出された複数の遊技媒体容器２００の遊技媒体に対して不正が行われる場合でも、正確に不正の有無を判断することができる。
【００７３】
なお本実施形態では、遊技機１０００ごとに固有の遊技機ＩＤを付与しているので、遊技機１０００ごとに遊技媒体の単価を異ならせた場合においても適用できるが、遊技媒体貸出機２ごとに遊技媒体の単価を異ならせた場合には固有の貸出機ＩＤを遊技媒体貸出機２に付与すればよく、また遊技機島１ごとに遊技媒体の単価を異ならせた場合には固有の遊技機島ＩＤを遊技機島１に付与すればよい。
【００７４】
また、本実施形態では、遊技媒体容器２００が遊技機ＩＤ「１０１」に対応する遊技機１０００の前の天板５０上に載置された後、遊技媒体容器２００が天板５０から持ち上げられ、遊技媒体容器２００の遊技情報記憶装置２０に遊技機ＩＤ「１０１」と遊技時間「１１：３０−１３：４５」の各情報が遊技情報記憶装置２０のアドレス「０１」に書き込まれ、さらにこの後、他の遊技媒体容器２００が遊技機ＩＤ「１０１」に対応する遊技機１０００の前の天板５０上に載置され、この後さらにこの遊技媒体容器２００内の遊技媒体が消費されて、遊技者が最初の遊技媒体容器２００内の遊技媒体を使用するべく遊技機ＩＤ「１０１」に対応する遊技機１０００の前の天板５０上に再び遊技媒体容器２００を載置した場合でも、図７（ｂ）に示すように遊技情報記憶装置２０のアドレス「０２」に遊技機ＩＤ「１０１」と遊技時間「１３：５８−１４：０３」の各情報が書き込まれ、その一方で図８に示す設定部４１のアドレス「０２」にも遊技機ＩＤ「１０１」、遊技時間「１３：５８−１４：０３」、獲得遊技媒体数「５９８個」の各情報が書き込まれるので、前述したように正確に不正の有無を判断することができる。
【００７５】
図９は本発明の第２の実施の形態を示している。  
図９は、第２の実施の形態に係る遊技管理システムの概念図である。図９においては、第１の実施の形態と同様に、遊技機１０００、遊技媒体貸出機２、遊技媒体計数機３、遊技情報発信装置１０、遊技情報記憶装置２０、遊技情報受信装置３０、正当性判定装置４０が配設されており、これらに加えて管理装置６と、それに備えた表示装置７、出力装置８が設けられている。
【００７６】
正当性判定装置４０には、遊技媒体容器２００の遊技情報記憶装置２０の図７（ｂ）に示す遊技情報が遊技媒体計数機３の遊技情報受信装置３０を介して送信される。
【００７７】
一方、各遊技機１０００に対応する遊技情報発信装置１０からも、正当性判定装置４０に遊技機ＩＤ、遊技時間、獲得遊技媒体数情報が送信される。これにより、例えば、正当性判定装置４０の設定部４１の図８に示すアドレス「０１」には、遊技機ＩＤ「１０１」、遊技時間「１１：３０−１３：４５」、獲得遊技媒体数情報「２０１２個」の各遊技情報が設定されるとともに、アドレス「０２」には、遊技機ＩＤ「１０１」、遊技時間「１３：５８−１４：０３」、獲得遊技媒体数情報「５９８個」の各遊技情報が設定される。
【００７８】
次に、正当性判定装置４０によって、遊技媒体容器２００の遊技情報記憶装置２０の前記図７（ｂ）に示す遊技情報と、各遊技機１０００に対応する遊技情報発信装置１０から送信された上記図８に示す遊技情報とが照合される。
【００７９】
そして、遊技情報発信装置１０から送信された遊技時間と遊技機ＩＤと獲得遊技媒体数情報と、遊技媒体容器２００の遊技情報記憶装置２０に記憶された遊技時間と遊技機ＩＤと計数された遊技媒体数とが各々一致すれば、遊技媒体容器２００の遊技情報記憶装置２０に記憶された遊技時間と遊技機ＩＤと計数された遊技媒体数が正当であると判定される。
【００８０】
これにより、遊技媒体容器２００の遊技情報記憶装置２０に記憶された遊技時間と遊技機ＩＤと計数された遊技媒体数が正当であるという結果が、管理装置６の表示装置７によって表示される、あるいはプリンタなどの出力装置８から印刷物として出力され、報知される。
【００８１】
また、遊技媒体容器２００の遊技情報記憶装置２０に記憶された遊技時間と遊技機ＩＤと計数された遊技媒体数のうちの一つでも正当ではないと判定された場合には、正当ではないという結果が、管理装置６の表示装置７によって表示される、あるいはプリンタなどの出力装置８から印刷物として出力され、報知される。
【００８２】
図１０は、第３の実施の形態に係る遊技管理システムの概念図である。図１０においては、第２の実施の形態と同様に、遊技機１０００、遊技媒体貸出機２、遊技媒体計数機３、遊技情報発信装置１０、遊技情報記憶装置２０、遊技情報受信装置３０、正当性判定装置４０、管理装置６、表示装置７、出力装置８が設けられており、これらに加えて警報装置９が付加されている。
【００８３】
本実施の形態では、遊技媒体容器２００の遊技情報記憶装置２０に記憶された遊技時間と遊技機ＩＤと計数された遊技媒体数のうちの一つでも正当ではないと判定された場合には、正当ではないという結果が、管理装置６の表示装置７によって表示される、あるいはプリンタなどの出力装置８から印刷物として出力され、報知されるとともに、警報装置９により、音あるいは光での警報がなされる。
【図面の簡単な説明】
【００８４】
【図１】本発明の遊技管理システムの第１の実施の形態の概念図。
【図２】遊技情報発信装置，遊技情報記憶装置，遊技情報受信装置の構成例を示すブロック図。
【図３】遊技情報発信装置，遊技情報記憶装置，遊技情報受信装置の別の構成例を示すブロック図。
【図４】遊技情報記憶装置の設置例を示す説明図。
【図５】遊技情報発信装置の設置例を示す説明図。
【図６】遊技情報受信装置の設置例を示す説明図。
【図７】第１の実施の形態における遊技情報記憶装置に遊技情報が記憶される様子を示す説明図。
【図８】第１の実施の形態における設定部に記憶される遊技情報を示す説明図。
【図９】本発明の遊技管理システムの第２の実施の形態の概念図。
【図１０】本発明の遊技管理システムの第３の実施の形態の概念図。
【図１１】遊技場のレイアウトを示す説明図。
【符号の説明】
【００８５】
１…遊技機島
２…遊技媒体貸出機
３…遊技媒体計数機
１０…遊技情報発信装置
２０…遊技情報記憶装置
３０…遊技情報受信装置
４０…正当性判定装置
２００…遊技媒体容器
１０００…遊技機
【図１】
2005177038.tif 000003
【図２】
2005177038.tif 000004
【図３】
2005177038.tif 000005
【図４】
2005177038.tif 000006
【図５】
2005177038.tif 000007
【図６】
2005177038.tif 000008
【図７】
2005177038.tif 000009
【図８】
2005177038.tif 000010
【図９】
2005177038.tif 000011
【図１０】
2005177038.tif 000012
【図１１】
2005177038.tif 000013